(57)【特許請求の範囲】
【請求項１】
検査視標であって、
複数の視標を有する視標部と、
遮蔽部と、を有し、
前記視標の各々は、被験者の右眼に提供する画像である右目用画像と前記被験者の左眼に提供する左目用画像とを有し、前記右目用画像と前記左目用画像とは、同じ視標画像が水平方向に離れて配置され、前記視標画像は、前記被験者からの視距離において該被験者の視角に応じた寸法となる特徴部を有し、
前記視標部の有する前記各視標は、前記右目用画像及び前記左目用画像の水平方向の距離が異なり、
前記遮蔽部は、前記視標の各々の、前記右目用画像を前記左目から遮蔽し、前記左目用画像を前記右目から遮蔽すること
を特徴とする、視力値を含めて検査する検査視標。
【請求項２】
請求項１記載の検査視標であって、
前記視標部の有する前記各視標は、前記視標画像の大きさが異なること
を特徴とする、視力値を含めて検査する検査視標。
【請求項３】
請求項１又は２記載の検査視標であって、
前記視標部の有する前記各視標は、前記各視標の前記特徴部の方向の異なること
を特徴とする、視力値を含めて検査する検査視標。
【請求項４】
請求項１乃至３のいずれか一項に記載の検査視標であって、
前記遮蔽部は、レンチキュラーシートであり、
前記視標部は、短冊状の前記右目用画像及び左目用画像の各々を交互に配すること
を特徴とする、視力値を含めて検査する検査視標。
【請求項５】
請求項１乃至３のいずれか一項に記載の検査視標であって、
前記遮蔽部は、視差バリアであり、
前記視標部は、短冊状の前記右目用画像及び左目用画像の各々を交互に配すること
を特徴とする、視力値を含めて検査する検査視標。
【請求項６】
請求項１乃至３のいずれか一項に記載の検査視標であって、
前記視標部は、前記右目用画像を有する右目用画像視標部と、前記左目用画像を有する左目用画像視標部と、を有し、
前記遮蔽部は、前記右目用画像視標部を前記左目から遮蔽し、前記左目用画像視標部を前記右目から遮蔽すること
を特徴とする、視力値を含めて検査する検査視標。
【請求項７】
請求項１乃至６のいずれか一項に記載の検査視標を有する検査システムであって、
前記各視標と、該各視標における視機能を示す視機能情報と、を記憶する記憶部と、  
前記複数の視標のうち１つを示す情報を取得する取得部と、
前記記憶部から、前記取得した情報に示される視標における前記視機能情報を取得する制御部と、
前記取得した視機能情報を出力する出力部と、
をさらに有することを特徴とする、視力値測定を含めて検査するための検査システム。
【請求項８】
検査視標であって、
複数の視標を有する視標部と、
遮蔽部と、を有し、
前記視標の各々は、
被験者の右眼に提供する画像である右目用画像と前記被験者の左眼に提供する左目用画像とを有し、前記右目用画像と前記左目用画像とは、同じ視標画像が水平方向に離れて配置され、前記視標画像は、前記被験者からの視距離において該被験者の視角に応じた寸法となる特徴部を有し、
前記視標部の有する前記各視標は、前記視標画像の大きさが異なり、
前記遮蔽部は、前記視標の各々の、前記右目用画像を前記左目から遮蔽し、前記左目用画像を前記右目から遮蔽すること
を特徴とする、視力値を含めて検査する検査視標。
【発明の詳細な説明】
【技術分野】
【０００１】
本発明は、被験者の視機能を検査する検査視標に関するものである。
【背景技術】
【０００２】
被験者の立体視機能を測定する手法としてステレオテストがあり、例えば、特許文献１に記載のような検査方法がある。
【先行技術文献】
【特許文献】
【０００３】
【特許文献１】特開平６−２５４０５１号公報
【発明の概要】
【発明が解決しようとする課題】
【０００４】
立体視機能は複数の要素が関係するものであり、例えば、遠視・近視・乱視等の屈折状態や、斜視等の眼位等とも関連する。従来の視機能検査では、遠視・近視・乱視、斜視、立体視等をそれぞれ検査するものであり、これら複数の要素を総合した立体視機能を検査することができない。
【０００５】
本発明はこのような事情に鑑みてなされたもので、複数の要素を総合した視機能、特に、立体視機能を含む視機能を検査することのできる検査視標を提供することを目的とする。
【課題を解決するための手段】
【０００６】
本発明は上記の目的を達成するためになされたもので、例えば、視力値を含めて検査する検査視標であって、複数の視標を有する視標部と、遮蔽部と、を有し、前記視標の各々は、被験者の右眼に提供する画像である右目用画像と前記前記被験者の左眼に提供する左目用画像とを有し、前記右目用画像と前記左目用画像とは、同じ視標画像が水平方向に離れて配置され、前記視標画像は、前記被験者からの視距離において該被験者の視角に応じた寸法となる特徴部を有し、前記視標部の有する前記各視標は、前記右目用画像及び前記左目用画像の水平方向の距離が異なり、前記遮蔽部は、前記視標の各々の、前記右目用画像を前記左目から遮蔽し、前記左目用画像を前記右目から遮蔽することを特徴とする。
【０００７】
また、例えば、前記視標部の有する前記各視標は、前記視標画像の大きさが異なることを特徴とする。
【０００８】
また、例えば、前記視標部の有する前記各視標は、前記各視標の前記特徴部の方向の異なることを特徴とする。
【発明の効果】
【０００９】
本発明の技術によれば、複数の要素を総合した視機能、特に、視力値及び立体視機能を含む視機能を検査することができる。
【図面の簡単な説明】
【００１０】
【図１】本実施形態の検査視標を立体視した場合の例を説明する図である。
【図２】同実施形態において、視標の各々の両眼視差画像の例を説明するための図である。
【図３】同実施形態において、各視標の円環開口部の視角と、飛び出し量及び引っ込み量との関係の一例である。
【図４】同実施形態において、各視標の右目用画像及び左目用画像の各々をシート状又は板状の媒体で提供する場合の検査例を説明する図である。
【図５】同実施形態において、媒体の構成例を示す図である。
【図６】同実施形態において、媒体の構成条件を説明するための図である。
【図７】同実施形態において、媒体の構成例を示す図である。
【図８】同実施形態において、各視標の右目用画像及び左目用画像の各々を左右像分離方式で提供する場合の検査例を説明する図である。
【図９】同実施形態において、検査装置の構成例を示す図である。
【図１０】同実施形態において、システムの構成例を示す図である。
【図１１】同実施形態において、視標情報の一例を示す図である。
【図１２】同実施形態において、動作例を説明する図である。
【図１３】同実施形態において、出力画像の一例である。
【発明を実施するための形態】
【００１１】
以下、本発明の一実施形態を、図面を参照して詳細に説明する。
【００１２】
本実施形態は、立体視機能だけでなく、視力値をも含めて検査可能な検査視標を提供する。以下では、まず、本実施形態の検査視標について説明し、その後、その検査視標を提供する技術について詳細に説明する。
【００１３】
まず、立体視機能だけでなく、視力値をも含めて検査可能な検査視標について説明する。そのために、本実施形態の検査視標は、以下で説明するように、立体視可能なものであるとする。
【００１４】
図１は、本実施形態の検査視標を立体視した場合の例を説明する図である。本実施形態では、図１に一例を示す視標セット１を提供可能なものである。視標セット１は、同じサイズの視標１０１、及び、サイズは異なるが寸法比は同じ視標１０１の各々を複数有するものとする。この視標１０１の形状は特に限定するものではないが、ここでは、円環全体の直径：円弧の幅：円環開口部の開口幅の寸法比が５：１：１であるランドルト環であるものとし、このランドルト環を飛び出し及び/又は引っ込みにより立体視可能としたものとする。この飛び出し量及び引っ込み量は任意であるが、例えば、被験者の眼から視標セット１までの距離である視距離において、立体視差度４０秒から８００秒に相当するものが考えられる。図１に一例を示す視標セット１は、ランドルト環のサイズが同一、換言すれば、円環開口部の視角が同一であるが、円環開口部の方向と飛び出し量及び/又は引っ込み量とが異なる視標１０１を同列で示している。
【００１５】
なお、図１の例では、１つの視標セット１が、４×３の視標１０１を有する場合を示しているが、視標１０１の数及び配置等は任意であり、これに限るわけではない。また、同一サイズの視標１０１の数、サイズは異なるが寸法比は同じ視標１０１の数、視標１０１の円環開口部の向き、視標１０１の飛び出し量及び/又は引っ込み量等も任意であり、これに限るわけではない。サイズ、円環開口部の向き、飛び出し量及び/又は引っ込み量のうち、少なくとも飛び出し量及び/又は引っ込み量の異なる視標１０１が複数あればよい。また、視標１０１の形状をランドルト環であるものとしたが、これに限るわけではなく、例えば、ひらがな、カタカナ、数字、アルファベットや絵等の任意の形状でよい。ただし、例えば上記ランドルト環の円環開口部のように、所定の視距離において所定視角に応じた寸法の特徴的な形状を有すると、被験者の視角、即ち視力を検査可能となる。また、サイズの異なる視標１０１について、視標１０１の形状が同じである場合は、形状による大きさ判別のヒントを被験者に与えないという利点がある。
【００１６】
ここで、立体視について簡単に説明する。立体物を視覚的に知覚する要素としては、大きさの大小や、他の物との前後関係、色、両眼視した際の右目及び左目の視差（両眼視差）等がある。本実施形態の視標セット１では、両眼視差による静止物の立体視機能を検査するものとし、そのために、右目及び左目の各々に、右目用画像及び左目用画像の各々を提供するように構成される。
【００１７】
図２（ａ）は、図１に一例を示す視標セット１の視標１０１の各々の両眼視差画像の例を説明するための図である。また、図２（ｂ）の画像２１１及び画像２１２は、図２（ａ）のうち画像２０１の右目用画像及び左目用画像を個別に示した例である。本実施形態では、図２（ａ）及び（ｂ）に一例を示すように、視標１０１の各々の立体視用画像として、同一画像のランドルト環、即ち、サイズ、色等が同じランドルト環を左右（水平方向）にずらしたものを右目用画像及び左目用画像の各々とする。左右像が両眼融合した場合、右目用画像及び左目用画像のランドルト環の左右のずれ量が大きいほど、融合像では、飛び出し量及び引っ込み量がより大きく知覚可能である。なお、ここでは、両眼視差による立体視は、平行法によるものでもよく交差法によるものでもよい。また、ここでは、ランドルト環は単一色で塗りつぶすものとし、陰影等による立体感を表現しないものとするが、これに限られるわけではない。ランドルト環の色、テスクチャ等は任意であるが、背景と混同しないような色、テクスチャ等であることが好ましい。
【００１８】
本実施形態の視標セット１は、上記のように、サイズの異なる視標１０１を複数有する。右目用画像及び左目用画像のランドルト環の左右のずれ量は特に限定するものではないが、ここでは、視標１０１のサイズが小さいもの、即ち、円環開口部の視角が小さいものほど、左右のずれ量を小さくするものとする。というのも、同一のものが遠くにある場合と近くにある場合とを比較すると、遠くにある場合のほうが近くにある場合より輻輳角が小さくなる傾向があるからである。
【００１９】
ここで、視標セット１の各視標１０１の円環開口部の視角と、右目用画像及び左目用画像のランドルト環の左右のずれ量、即ち、飛び出し量及び引っ込み量との関係について説明する。図３は、各視標１０１の円環開口部の視角と、飛び出し量及び引っ込み量との関係の一例である。図３の表３０１において、縦軸３１１は、視距離における視標１０１の円環開口部の視角を示す。また、横軸３２１は、視標１０１の円環開口部の視角の各々における視標１０１の飛び出し量及び引っ込み量の区分を示す。図３では、視標１０１の飛び出し量及び引っ込み量の区分を３段階とした場合の例を示し、ここでは、区分Ａ、Ｂ、Ｃの順に、飛び出し量及び引っ込み量が大きくなるものとしている。縦軸３１１と横軸３２１とが交差するマトリクス部３３１は、視距離における立体視差角を示す。具体的には、例えば、図３の表３０１において、縦軸３１１の視角が「５」である場合、横軸３２１の区分「Ａ」における立体視差角は「０」であり、区分「Ｂ」における立体視差角は「４００」であり、区分「Ｃ」における立体視差角は「８００」である。ここでは、縦軸３１１の視角の単位は分、マトリクス部３３１の立体視差角の単位は秒とする。
【００２０】
より具体的には、例えば、図１の視標セット１において、破線部１１１内の３つの視標１０１の各々の円環開口部の視角が、図３の表３０１における縦軸３１１の視角「５」に該当するものとした場合、左の視標１０１が区分「Ｃ」の立体視差角「８００」に、中央の視標１０１が区分「Ａ」の立体視差角「０」に、右の視標１０１が区分「Ｂ」の立体視差角「４００」に該当する。なお、上記のように、縦軸３１１の数は視標１０１の円環開口部の視角であるため、例えば、上記縦軸３１１の視角「５」は、「視力＝１／視角（分）」より、視力「０．２」ということもできる。
【００２１】
なお、ここでは、上記縦軸３１１の視角の単位は分、マトリクス部３３１の立体視差角の単位は秒とするが、これに限るわけではない。また、上記表３０１の横軸３２１において、視標１０１の飛び出し量及び引っ込み量の区分を３段階としたが、これに限られるわけではなく、区分の数は任意でよい。また、表３０１では、横軸３２１の区分のうち、飛び出し量及び引っ込み量が最も小さいものの立体視差角を「０」、即ち、飛び出し及び引っ込みのいずれも無いものとしたが、これに限られるわけではなく、飛び出し及び引っ込みがあってもよい。また、上記表３０１の縦軸３１１、横軸３２１、マトリクス部３３１等の各々の数値及び区分は任意であり、図示するものに限るわけではない。検査セット１を提供する技術、提供する目的等に応じて最適化とするとよい。
【００２２】
次に、上記視標セット１を用いた検査について説明する。視標セット１を用いた検査としては、例えば、次の３つが考えられる。
【００２３】
第１の検査は、被験者が、検査者等により示された１つの視標１０１の円環開口部の方向を認識可能か否か、及び、被験者の示した開口部の方向が実際の視標１０１の円環開口部の方向と一致するか否かによるものである。
【００２４】
第２の検査は、例えば図１の破線部１１１、１１２のように、検査者等が複数の視標１０１を示し、被験者が、検査者等により示された複数の視標１０１のうち、どの視標１０１が最も飛び出して見えるか又は引っ込んで見えるか、及び、被験者の示した最も飛び出して又は引っ込んで見える視標１０１が実際の視標１０１の飛び出し又は引っ込みと一致するか否かによる検査である。第２の検査で示す複数の視標１０１は、特に限定するものではないが、図１の破線部１１１、１１２に一例を示すように、ランドルト環のサイズが同一、即ち円環開口部の視角が同一の視標１０１である場合が考えられる。また、示す視標１０１の数も２つ以上であればよく、特に限定するものではない。
【００２５】
第３の検査は、検査者等により示された複数の視標１０１のうち円環開口部の方向を認識しやすいもの/認識しづらいものがあるか否かによるものである。第３の検査で示す複数の視標１０１は、特に限定するものではないが、視標１０１のサイズは同じであるが、円環開口部の方向は異なるものがよい。
【００２６】
上記検査により得られた被験者の視機能は任意の数等で示される。
【００２７】
上記第１の検査では、例えば、第１の数、第２の数、第３の数等が考えられる。例えば、第１の数として、被験者の示した円環開口部の方向が実際の視標１０１の円環開口部と一致する場合、その視標１０１の飛び出し量及び引っ込み量に応じた立体視差度により、被験者の視機能を示すことが考えられる。
【００２８】
また、例えば、第２の数として、被験者の示した開口部の方向が実際の視標１０１の開口部と一致する場合、その視標１０１のうち最小サイズのものを、その視標１０１の円環開口部の視角、又は、視角に応じて定まる度数、即ち、「１／視角（分）」で得られる視力により、被験者の視機能を示すことが考えられる。
【００２９】
また、例えば、第３の数として、上記の組み合わせ、即ち、最小サイズの視標１０１のランドルト環の飛び出し量及び引っ込み量に応じた立体視差度と、その円環開口部の視角又は視力とを組み合わせた新たな数等により、被験者の視機能を示すことが考えられる。
【００３０】
上記第１の数、第２の数、第３の数について、一例をあげてより具体的に説明する。例えば、上記のように、図１の視標セット１において、破線部１１１内の３つの視標１０１の円環開口部の視角が、図３の表３０１における縦軸３１１「５」に該当し、左の視標１０１が区分「Ｃ」の立体視差角「８００」に、中央の視標１０１が区分「Ａ」の立体視差角「０」に、右の視標１０１が区分「Ｂ」の立体視差角「４００」に該当する場合において、破線部１１１内の３つの視標１０１のうち右の視標１０１の円環開口部が一致した場合の例で説明する。
【００３１】
この場合、上記第１の数として、例えば、その被験者の視機能は、立体視差角「４００」で示すことができる。また、上記第２の数として、例えば、その被験者の視機能は、視角「５」又は視力「０．２」で示すことができる。また、上記第３の数として、例えば、その被験者の視機能は、視角「５」又は視力「０．２」におけるランク「Ｂ」、又は、これらを組み合わせた新たな数で示すことができる。
【００３２】
上記第２の検査について説明する。上記第２の検査では、例えば、第４の数、第５の数、第６の数、第７の数等が考えられる。例えば、第４の数として、被験者の示した最も飛び出して又は引っ込んで見える視標１０１が実際の視標１０１の飛び出し又は引っ込みと一致する場合、検査者等の示した複数の視標１０１のうちランドルト環の飛び出し量及び引っ込み量が最大及び/又は最小のものに応じた立体視差度により、被験者の視機能を示してもよい。
【００３３】
また、例えば、第５の数として、被験者の示した最も飛び出して又は引っ込んで見える視標１０１が実際の視標１０１の飛び出し又は引っ込みと一致する場合、その視標１０１のうち最小サイズのものを、その視標１０１の円環開口部の視角、又は、視角に応じて定まる度数、即ち、「１／視角（分）」で得られる視力により、被験者の視機能を示してもよい。
【００３４】
また、例えば、第６の数として、上記の組み合わせ、即ち、最小サイズの視標１０１のランドルト環の飛び出し量及び引っ込み量が最大及び/又は最小のものに応じた立体視差度と、その円環開口部の視角又は視力とを組み合わせた新たな数等により、被験者の視機能を示してもよい。
【００３５】
また、例えば、第７の数として、単に、ランドルト環のサイズ、即ち円環開口部の視角が同一の視標１０１組み合わせを被験者に示し、被験者の示した最も飛び出して又は引っ込んで見える視標１０１が実際の視標１０１の飛び出し又は引っ込みと一致した組み合わせのうち、視標１０１のサイズが最小のものを、その視標１０１の円環全体の直径の視角等に応じて定まる新たな度数等により、被験者の視機能を示してもよい。具体的には、例えば、上記破線部１１１と破線部１１２とを被験者に示し、破線部１１２内の視標１０１のうち最も飛び出して又は引っ込んで見える視標１０１が実際の視標１０１の飛び出し又は引っ込みと一致した場合、破線部１１２内の視標１０１の円環全体の直径の視角等に応じて定まる度数により、被験者の視機能を示してもよい。
【００３６】
上記第４の数、第５の数、第６の数、第７の数について、一例をあげてより具体的に説明する。例えば、上記のように、図１の視標セット１において、破線部１１１内の３つの視標１０１の円環開口部の視角が、図３の表３０１における縦軸３１１「５」に該当し、左の視標１０１が区分「Ｃ」の立体視差角「８００」に、中央の視標１０１が区分「Ａ」の立体視差角「０」に、右の視標１０１が区分「Ｂ」の立体視差角「４００」に該当する場合において、破線部１１１内の３つの視標１０１の飛び出し又は引っ込みが一致した場合の例で説明する。
【００３７】
この場合、上記第４の数として、例えば、その被験者の視機能は、立体視差角「０」及び/又は「８００」で示すことができる。また、上記第５の数として、例えば、その被験者の視機能は、視角「５」又は視力「０．２」で示すことができる。また、上記第６の数として、例えば、その被験者の視機能は、視角「５」又は視力「０．２」における立体視差角「０」及び/又は「８００」、又は、これを組み合わせた新たな数で示すことができる。また、上記第７の数として、例えば、上記のように本実施形態では、円環全体の直径：円環開口部の開口幅が５：１であるので、円環開口部の視角が「５」である場合には円環全体の視角は「２５」となり、その被験者の視機能は、円環全体の視角「２５」、又は、円環全体の視角「２５」に応じて定まる新たな度数等で示すことができる。
【００３８】
上記第３の検査について説明する。上記第３の検査では、例えば、第８の数、第９の数、第１０の数等が考えられる。例えば、第８の数として、被験者の示した認識しやすい円環開口部の方向により定まる乱視軸により、被験者の視機能を示すことが考えられる。
【００３９】
また、例えば、第９の数として、被験者の示した認識しやすい円環開口部の視角、又は、視角に応じて定まる度数、即ち、「１／視角（分）」で得られる視力により、被験者の視機能を示すことが考えられる。
【００４０】
また、例えば、第１０の数として、上記の組み合わせ、即ち、円環開口部の方向により定まる乱視軸と、その円環開口部の視角又は視力とを組み合わせた新たな数等により、被験者の視機能を示すことが考えられる。
【００４１】
上記第８の数、第９の数、第１０の数について、一例をあげてより具体的に説明する。例えば、上記のように、図１の視標セット１において、破線部１１１内の３つの視標１０１の円環開口部の視角が、図３の表３０１における縦軸３１１「５」に該当し、左の視標１０１が区分「Ｃ」の立体視差角「８００」に、中央の視標１０１が区分「Ａ」の立体視差角「０」に、右の視標１０１が区分「Ｂ」の立体視差角「４００」に該当する場合において、破線部１１１内の３つの視標１０１のうち左の視標１０１の円環開口部の方向が認識しやすい場合の例で説明する。
【００４２】
この場合、上記第８の数として、例えば、その被験者の乱視軸は、方向「上」換言すれば「１８０度」で示すことができる。また、上記第９の数として、例えば、その被験者の視機能は、視角「５」又は視力「０．２」で示すことができる。また、上記第１０の数として、例えば、その被験者の視機能は、乱視軸「１８０度」における視角「５」又は視力「０．２」、又は、これを組み合わせた新たな数で示すことができる。
【００４３】
上記視標セット１を提供する技術は、右目に右目用画像を、左目に左目用画像を提供可能なものであれば、特に限定するものではないが、以下にて、視標セット１を提供する技術の一例を説明する。なお、以下では、同じものに対しては同じ符号を付与し、説明を省略する。
＜第１の実施例＞
まず、視標セット１を、シート状媒体で提供する場合の一例を説明する。
【００４４】
図４は、図１に一例を示す視標セット１の右目用画像及び左目用画像の各々をシート状又は板状の媒体で提供する場合の検査例を説明する模式図である。図４に一例を示すように、媒体４０１は視標１０１を有し、被験者２は、媒体４０１から所定距離離れた位置で両眼視状態にて検査を行う。媒体４０１と被験者４０２との距離（視距離）は特に限定するものではないが、例えば、３ｍから５ｍ等が考えられる。また、媒体４０１の高さは、例えば被験者４０２の視線の高さと同等など、被験者４０２が無理なく媒体４０１内の各視標１０１を見ることのできる高さが好ましい。
【００４５】
次に、図４に一例を示す媒体４０１において、被験者の右目及び左目の各々に、右目用画像及び左目用画像の各々を提供する例を説明する。図５は、第１の実施例における、図４に一例を示す媒体４０１の構成例を示す図である。図５に一例を示すように、媒体４０１は、基材５０１、視標部５０２、レンチキュラーレンズ部５０３等を有する。
【００４６】
基材５０１は、視標部５０２及びレンチキュラーレンズ部５０３を配することが可能なものであればよく、構成、材料及び寸法等は特に限定するものではない。基材５０１は、例えば紙、樹脂シート、金属板等であってもよい。視標部５０２及びレンチキュラーレンズ部５０３等の構成・機能、媒体４０１の使用環境上等で必要が無ければ、基材５０１は無くてもよい。
【００４７】
視標部５０２は、上記各視標１０１を表すものであり、その実現手段は任意である。例えば基材５０１又はレンチキュラーレンズ部５０３の凸レンズ面の裏面に描画、印刷等したものや、シール等であってもよい。
【００４８】
レンチキュラーレンズ部５０３は、レンチキュラーレンズをシート状にしたものである。レンチキュラーレンズそのものは知られているので、詳細は省略する。
【００４９】
視標部５０２及びレンチキュラーレンズ部５０３について詳細に説明する。視標部５０２は、交互に配された右目用画像５１１及び左目用画像５１２を有する。図５の例では、右目用画像５１１を斜線部で示す。また、被験者の右目５２１で見ることの可能な領域である右目視線５２２を実線で、被験者の左目５３１で見ることの可能な領域である左目視線５３２の各々を破線で示す。右目用画像５１１及び左目用画像５１２の各々は、図５に一例を示すように、レンチキュラーレンズ部５０３の凸レンズの屈折により、左目用画像５１２を右目視線５２２から遮蔽し、右目用画像５１１を左目視線５３２から遮蔽するように配置される。
【００５０】
なお、図５では、簡略化のために一部の右目視線５２２及び左目視線５３２のみ示しているが、図に示すもののみに限られるわけではない。
【００５１】
右目用画像５１１及び左目用画像５１２は、上記図２（ａ）及び（ｂ）にて一例を示した右目用画像及び左目用画像の各々を、レンチキュラーレンズ部５０３の凸レンズの寸法・配置等に応じて短冊状に分割等して配置したものである。しかし、単純に短冊状に分割しただけでなくてもよく、例えば、レンチキュラーレンズ部５０３の凸レンズの寸法・配置、媒体４０１の設置環境、視標１０１のサイズ等に応じて再構成して配置してもよい。
【００５２】
１つの媒体４０１に含まれる視標１０１は単数でもよく、複数でもよい。１つの媒体４０１に単数の視標が含まれる場合は、検査に応じて複数の媒体４０１を被験者に提示するとよい。また、媒体４０１にて、同時に提示する視標１０１の数は任意でよい。例えば、図１に示す視標セット１のように、複数の視標１０１を同時に提示し、実行する検査に応じて、１つ又は複数の視標１０１を被験者に示し、上記第１の検査、第２の検査、第３の検査のうち少なくとも１つを行っても良い。また、検査に必要な視標１０１のみを提示してもよい。この視標１０１の提示は任意であり、検査者等が行ってもよく、また、任意の装置等により所定順又はランダム或いはこれらの組み合わせにより提示されてもよい。
【００５３】
視標部５０２及びレンチキュラーレンズ部５０３の構成は、特に限定するものではないが、視標１０１の状態及び被験者の検査状況等により最適化するとよい。ここで、視標部５０２及びレンチキュラーレンズ部５０３の条件の一例について説明する。図６は、視標部５０２及びレンチキュラーレンズ部５０３の条件について説明する図である。知られているレンズの公式を本実施例にあてはめると、図６における「a-b」が右目用画像及び左目用画像の各々の幅に、「ａ’−ｂ’」が被験者の眼幅に該当する。以下、右目用画像及び左目用画像の各々の幅を「L」、被験者の眼幅を「M」という。また、図６における「A」がレンチキュラーレンズの厚みに、「B」が視距離に該当する。被験者の眼幅は５０ｍｍから７０ｍｍ等が考えられる。
【００５４】
まず、知られているレンズの公式として、以下式１がある。
【００５５】
1/A+1/B=1/F  ・・・・・・（式１）
レンチキュラーレンズの屈折率を「n」とすると、実際の「A」の光学的距離は「nA」として考えられるため、上記式１は以下式２となる。
【００５６】
1/nA+1/B=1/F  ・・・・・・（式２）
本実施例のレンチキュラーレンズは、上記式２となる焦点距離Fを有することが考えられる。以下、これを第１の条件という。
【００５７】
また、上記レンズの公式は、知られているように、△aboと△ａ’ｂ’ｏ’とが相似であることから導き出されるものであり、以下式３であるといえる。
【００５８】
ａｂ：ａ’ｂ’＝ｂｏ：ｂ’ｏ’   ・・・・・・（式３）
上記式３を上記A、B、L、Mに置換すると以下式４となる。
【００５９】
L:M=A:B   ・・・・・・（式４）
上記と同様に、実際の「A」の光学的距離は「nA」として考えられるため、上記式４は以下式５となる。
【００６０】
L:M=nA:B   ・・・・・・（式５）
本実施例のレンチキュラーレンズの厚み、右目用画像及び左目用画像の各々の幅等の関係は、上記式５となることが考えられる。以下、これを第２の条件という。
【００６１】
視標部５０２及びレンチキュラーレンズ部５０３の構成としては、上記第１の条件及び第２の条件を満たすものが考えられる。
【００６２】
なお、上記の例では、視標部５０２を、基材５０１又はレンチキュラーレンズ部５０３の凸レンズ面の裏面に描画、印刷等したものや、シール等であるものとしたが、この視標部５０２を他の技術により実現してもよい。例えば、透明、半透明、不透明のシート等又はこれらを組み合わせたものを、光源により投影又は透過させることにより視標１０１を表示してもよい。また、例えば、ディスプレイ装置に視標１０１を表示してもよい。
＜第２の実施例＞
次に、第２の実施例を説明する。上記第１の実施例では、右目用画像及び左目用画像の各々をレンチキュラーレンズにより右目及び左目の各々に提供したが、以下で説明する第２の実施例では、レンチキュラーレンズの代わりに、視差バリアにより右目及び左目の各々に提供する。第２の実施例の一部は上記第１の実施例と同じであるので、以下では、異なる部分のみ詳細に説明する。
【００６３】
図７は、第２の実施例における、図４に一例を示す媒体４０１の構成例を示す図である。図７に一例を示すように、媒体４０１は、基材５０１、視標部５０２、視差バリア部７０３等を有する。
【００６４】
図７に示されるように、視差バリア部７０３により、右目視線５２２に対し左目用画像５１２が、左目視線５３２に対し右目用画像５１１が遮蔽される。視差バリア部７０３は、上記レンチキュラーレンズ部５０３と同様に、視標１０１の状態、及び、被験者から視標セット１までの距離、被験者の眼幅、媒体４０１に対する被験者の視線の角度等に応じて寸法・配置等を最適化するとよい。
【００６５】
なお、上記第１の実施例と同様に、視標部５０２を他の技術により実現してもよい。例えば、上記と同様に、透明、半透明、不透明のシート等又はこれらを組み合わせたものを、光源により投影又は透過させることにより視標１０１を表示してもよい。また、例えば、ディスプレイ装置に視標１０１を表示してもよい。視差バリア部７０３を有する第２の実施例では、例えば上記の投影又は透過、ディスプレイ装置等、視差バリア部７０３の裏面に光源があることは、被験者が視差バリア部７０３に気づく可能性を低くすることができるので、特に有効である。
＜第３の実施例＞
次に、第３の実施例を説明する。第３の実施例では、右目用画像及び左目用画像の各々を左右像分離方式で提供する実施例について説明する。
【００６６】
図８は、図１に一例を示す視標セット１の右目用画像及び左目用画像の各々を左右像分離方式で提供する装置を用いる場合の検査例を説明する模式図である。
【００６７】
図８において、検査装置８０１は接眼部８１１を有し、被験者は、接眼部８１１に接眼させ、検査装置８０１内部に表示等される視標１０１を両眼視にて検査を行う。
【００６８】
図９は、図８における検査装置８０１の断面Ａの模式図を示す。検査装置８０１は、接眼部８１１、右目用画像部９１１、左目用画像部９２１、遮蔽部９４１等を有する。
【００６９】
接眼部８１１は、上記のように、被験者が接眼する部位であり、被験者の右目５２１が接眼する右目接眼部９１２と、被験者の左目５３１が接眼する左目接眼部９２２とを有する。
【００７０】
右目用画像部９１１は、被験者の右目５２１に提示する視標１０１の画像を表示する。左目用画像部９２１は、被験者の左目５３１に提示する視標１０１の画像を表示する。具体的には、例えば、右目用画像部９１１は、図２（ｂ）の画像２１１等を表示し、左目用画像部９２１は、図２（ｂ）の画像２１２等を表示する。右目用画像部９１１及び左目用画像部９２１は、各々に表示する画像を同時に表示するよう構成される。これにより、右目５２１及び左目５３１の各々に表示される画像は時間差なく提示され、被験者に、両眼視にて立体視可能な画像が提供される。右目用画像部９１１及び左目用画像部９２１の各々が画像を表示する技術は任意でよい。例えば、画像が印刷又は描画等されたスライド等により表示してもよい。また、例えば、透明、半透明、不透明のシート等またはこれらを組み合わせたものを、光源により投影又は透過させることにより表示してもよい。また、例えば、ディスプレイ装置に表示してもよい。
【００７１】
遮蔽部９４１は、不透明な素材等により、右目視線５２２からは左目用画像部９２１を、左目視線５３２からは右目用画像部９１１を遮蔽するように構成される。遮蔽部９４１は、この遮断機能を満たすものであれば、素材、形状、他機能等は特に限定するものではなく、例えば、検査装置８０１の筐体または他構成と全て又は一部を共有、一体化等していてもよい。
【００７２】
なお、検査装置８０１においては、静止視力の検査に使用してもよい。例えば、右目５２１の片眼視力の検査のためには、右目５２１に右目用の視標１０１のみを提示して左目用の視標１０１を提示しないようにするよい。そのための構成は任意であるが、例えば、右目用画像部９１１には視標１０１を表示して左目用画像部９２１には視標１０１を表示しないようにしてもよく、また、可動の遮蔽部（図示略）により、左目視線５３２から左目用画像部９２１を遮蔽してもよい。左目５３１の片眼視力の検査の場合はこれらと逆を行うとよい。また、両眼視力の検査のためには、遮蔽部９４１の少なくとも一部を可動とし、両眼にて右目用画像部９１１又は左目用画像部９２１或いは他の新たな表示部（図示略）を見ることが可能なようにしてもよい。
＜第４の実施例＞
次に、第４の実施例を説明する。第４の実施例は、上記第１の実施例から第３の実施例に一例を示した媒体４０１又は検査装置８０１を有するシステムの例である。右目に右目用画像を、左目に左目用画像を提供する技術は上記と同じであるので、異なる部分のみ詳細に説明する。
【００７３】
図１０は、媒体４０１又は検査装置８０１を有するシステムの構成例を示す図である。図１０において、検査システム１００１は、制御装置１０１１、表示部１０２１、入力部１０２２、出力部１０２３、入力部１０３１、出力部１０３２等を有する。
【００７４】
表示部１０２１は、被験者の右目に右目用画像を、左目に左目用画像を提供するものであれば特に限定するものではなく、上記媒体４０１又は検査装置８０１等でもよい。ただし、複数の視標１０１の各々の表示及び非表示を制御装置１０１１等で制御等できる点で上記とは異なる。
【００７５】
入力部１０２２及び出力部１０２３は被験者の用いるものである。入力部１０２２は、示された視標１０１の円環開口部がどの方向であるか、示された複数の視標１０１のうちどれが最も飛び出して見えるか及び/又は引っ込んで見えるか等を入力するものであり、例えばボタン、マイクロフォン等の集音装置、キーボード、マウス等である。出力部１０２３は、検査結果を出力するものであり、例えばディスプレイ装置、プリンタ、スピーカ等である。
【００７６】
入力部１０３１及び出力部１０３２は検査者の用いるものである。入力部１０３１は、検査の指示等を入力するものであり、例えばボタン、マイクロフォン等の集音装置、キーボード、マウス等である。出力部１０３２は、被験者の入力結果や検査結果等を出力するものであり、例えばディスプレイ装置、プリンタ、スピーカ等である。
【００７７】
制御装置１０１１は、記憶部１０４１、制御部１０４２、インターフェース部１０４３等を有する。記憶部１０４１、制御部１０４２、インターフェース部１０４３等は内部バス等で接続されている。記憶部１０４１は、視標情報１０５１等を記憶する。制御部１０４２は、例えば任意の演算装置等であり、検査部１０６１、判定部１０６２等を有する。検査部１０６１、判定部１０６２等を実現する技術は任意でよいが、例えば、記憶部１０４１に記憶されているプログラム（図示略）等を実行することにより実現される。インターフェース部１０４３には、表示部１０２１、入力部１０２２、出力部１０２３、入力部１０３１、出力部１０３２等が接続される。
【００７８】
視標情報１０５１について説明する。視標情報１０５１は、各視標１０１と、視標１０１により示される視機能についての情報を有する。図１１は、視標情報１０５１の一例を示す図である。図１１において、視標情報１０５１は、項番１１０１、視角１１０２、立体視差角１１０３、区分１１０４、方向１１０５、画像１１０６等を互いに対応付けて有する。なお、図１１では、各視標１０１が、上記図３の表３０１に一例を示す視角、立体視差角、区分等である場合の例を示している。
【００７９】
項番１１０１は視標１０１の識別情報である。視角１１０２は、対応する項番１１０１で示される視標１０１の、円環開口部の視角である。立体視差角１１０３は、対応する項番１１０１で示される視標１０１の立体視差角である。区分１１０４は、対応する項番１１０１で示される視標１０１の飛び出し量及び引っ込み量の区分である。方向１１０５は、対応する項番１１０１で示される視標１０１の、円環開口部の方向である。画像１１０６は、対応する項番１１０１で示される視標１０１を表示部１０２１に提供するための情報である。画像１１０６は、視標１０１を表示する技術により異なるが、例えば、視標１０１を、画像を印刷・描画等した媒体や、透明、半透明、不透明のシート等又はこれらを組み合わせたもの等により表示する場合は、その媒体やシート等の格納場所等であり、また、例えば、視標１０１をディスプレイ装置等により表示する場合は、その視標１０１を表示するための表示画像データそのものや、その表示画像データの格納場所等である。
【００８０】
次に、検査システム１００１を用いた検査の動作例について説明する。図１２は、制御装置１０１１の動作例を示す。図１２において、検査部１０６１は、検査ｂを実行するための処理を行う（S1201）。
【００８１】
この検査ｂは特に限定するものではないが、例えば、上記図３に一例を示す表３０１において、視角「１」である視標１０１のうち単数又は複数を表示することである。上記第１の検査を行う場合は単数の視標１０１を表示し、上記第２の検査及び/又は第３の検査を行う場合は複数の視標１０１を表示してもよい。この場合、検査部１０６１は、例えば、視標情報１０５１を参照し、視角１１０２が「１」である項番１１０１を検索し、該当する項番１１０１と対応付けられた画像１１０６を読みだして、読みだした情報に基づいて、表示部１０２１に視標１０１を表示する。具体的な動作は任意であるが、画像１１０６が媒体やシート等の格納場所等である場合は、検査部１０６１は、例えば、その格納場所に基づいてスライド機構（図示略）を動作させることにより表示する、または、入力部１０３１に、項番１１０１又は画像１１０６等を通知する情報を出力して検査者に視標１０１を表示させる等である。また、例えば、視標１０１をディスプレイ装置等により表示する場合は、検査部１０６１は、例えば、画像１１０６に基づいて、その視標１０１を表示するための表示画像データ等を取得等して、表示部１０２１に出力等する。
【００８２】
次に、判定部１０６２は、被験者が入力部１０２２等を用いて、または、検査者が入力部１０３１等を用いて入力された情報と視標情報１０５１とに基づいて、上記検査ｂの結果判定を行う（S1202）。
【００８３】
この判定は、例えば、上記第１の検査を行う場合には、判定部１０６２は、入力された方向を示す情報と、S1201で表示した単数の視標１０１の円環開口部の方向又はS1201で表示した複数の視標１０１のうちいずれか１つの円環開口部の方向とが一致する場合はOKと判定し、一致しない場合にはNGと判定する。S1201で表示した視標１０１の円環開口部の方向を取得するために、例えば、判定部１０６２は、視標情報１０５１を参照し、上記S1201で検査部１０６１が検索した項番１１０１に対応する方向１１０５から取得する。
【００８４】
また、例えば、上記第２の検査を行う場合には、判定部１０６２は、入力された視標１０１を示す情報と、S1201で表示した複数の視標１０１のうち最も飛び出し量及び/又は引っ込み量が大きいものとが一致する場合はOKと判定し、一致しない場合にはNGと判定する。S1201で表示した複数の視標１０１のうち、どれが飛び出し量及び/又は引っ込み量が大きいかについては、判定部１０６２は、例えば、視標情報１０５１を参照し、上記S1201で検査部１０６１が検索した項番１１０１の各々に対応する区分１１０４から特定する。
【００８５】
また、例えば、上記第３の検査を行う場合は、判定部１０６２は、被験者が、円環開口部の方向が認識不可とした場合はNGとし、他の場合はOKとする。判定部１０６２は、上記第１の検査及び第２の検査であっても、円環開口部の方向や飛び出し量及び/又は引っ込み量が不明と被験者が認識したことを示す情報が、入力部１０２２又は入力部１０３１等から入力された場合は、NGと判定する。
【００８６】
なお、判定部１０６２は、S1202の判定結果を、出力部１０３２等に出力してもよい。
【００８７】
S1202の判定の結果、OKである場合、検査部１０６１は、検査aを実行するための処理を行う（S1203）。この検査aは特に限定するものではないが、例えば、上記図３に一例を示す表３０１において、視角「０．５」である視標１０１のうち単数又は複数を表示することである。この詳細な動作例は上記S1201と同じであるので省略する。なお、上記第３の検査を行う場合は、S1203等の処理を行うことなく、後述する出力処理を実行してもよい。
【００８８】
次に、判定部１０６２は、被験者が部１０２２を用いて、または、検査者が入力部１０３１等を用いて入力された情報と視標情報１０５１とに基づいて、上記検査aの結果判定を行う（S1204）。この詳細な動作例は上記S1202と同じであるので省略する。
【００８９】
S1204の判定の結果、OKである場合、判定部１０６２は、上記判定結果に基づく被験者の視機能を示す情報を、出力部１０２３及び/または出力部１０３２等に出力する（S1205）。具体的には、例えば、視角「０．５」における視機能を満たしたものと判定し、判定部１０６２は、上記第１の数から第１０の数のうち少なくとも１つを、出力部１０２３及び/または出力部１０３２等に出力する。
【００９０】
判定部１０６２が、被験者の視機能を示す情報を画面に表示した一例を図１３に示す。図１３において、画面１３０１は、判定部１０６２が出力部１０２３及び/または出力部１０３２に出力した画面の例である。この画面１３０１は、記憶部１０４１等に記憶されている表示画面用データ等により表示される。
【００９１】
図１２に戻り、S1204の判定の結果、NGである場合、判定部１０６２は、上記判定結果に基づく被験者の視機能を示す情報を、出力部１０２３及び/または出力部１０３２等に出力する（S1206）。具体的には、例えば、視角「１」における視機能を満たしたものと判定し、判定部１０６２は、上記第１の数から第１０の数のうち少なくとも１つを、出力部１０２３及び/または出力部１０３２等に出力する。この詳細な動作例は上記S1205と同じであるので省略する。
【００９２】
一方、上記S1202の判定の結果、NGである場合、検査部１０６１は、検査cを実行するための処理を行う（S1207）。この検査cは特に限定するものではないが、例えば、上記図３に一例を示す表３０１において、視角「２」である視標１０１のうち単数又は複数を表示することである。この詳細な動作例は上記S1201と同じであるので省略する。
【００９３】
次に、判定部１０６２は、被験者が部１０２２を用いて、または、検査者が入力部１０３１等を用いて入力された情報と視標情報１０５１とに基づいて、上記検査cの結果判定を行う（S1208）。この詳細な動作例は上記S1202と同じであるので省略する。
【００９４】
S1208の判定の結果、OKである場合、判定部１０６２は、上記判定結果に基づく被験者の視機能を示す情報を、出力部１０２３及び/または出力部１０３２等に出力する（S1209）。具体的には、例えば、視角「２」における視機能を満たしたものと判定し、判定部１０６２は、上記第１の数から第１０の数のうち少なくとも１つを、出力部１０２３及び/または出力部１０３２等に出力する。この詳細な動作例は上記S1205と同じであるので省略する。
【００９５】
S1208の判定の結果、NGである場合、検査部１０６１は、検査dを実行するための処理を行う（S1210）。この検査dは特に限定するものではないが、例えば、上記図３に一例を示す表３０１において、視角「５」である視標１０１のうち単数又は複数を表示することである。この詳細な動作例は上記S1201と同じであるので省略する。
【００９６】
次に、検査部１０６１は、被験者が部１０２２を用いて、または、検査者が入力部１０３１等を用いて入力された情報と視標情報１０５１とに基づいて、上記検査dの結果判定を行う（S1211）。この詳細な動作例は上記S1202と同じであるので省略する。
【００９７】
S1211の判定の結果、OKである場合、判定部１０６２は、上記判定結果に基づく被験者の視機能を示す情報を、出力部１０２３及び/または出力部１０３２等に出力する（S1212）。具体的には、例えば、視角「５」における視機能を満たしたものと判定し、判定部１０６２は、上記第１の数から第１０の数のうち少なくとも１つを、出力部１０２３及び/または出力部１０３２等に出力する。この詳細な動作例は上記S1205と同じであるので省略する。
【００９８】
S1211の判定の結果、NGである場合、判定部１０６２は、上記判定結果に基づく情報を、出力部１０２３及び/または出力部１０３２等に出力する（S1213）。ここで判定部１０６２が出力する情報は任意でよく、例えば、視角「５」における視機能を満たしていないことや、視距離の変更等、検査条件の変更を促す情報等でもよい。この詳細な動作例は上記S1205と同じであるので省略する。
【００９９】
以上、この発明の実施形態を、図面を参照して詳述してきたが、具体的な構成はこの実施形態に限られるものではなく、この発明の要旨を逸脱しない範囲の設計変更等も含まれる。
【０１００】
たとえば、上記では、右目に右目用画像を、左目に左目用画像を提供するための技術として、レンチキュラーレンズ、視差バリア、左右像分離方式等を一例としたが、これに限られるわけではない。例えば偏光フィルタや、左右の映像を時間で分割するフレームシーケンシャル等でもよく、また、そのほか任意の技術により実現してもよい。
【０１０１】
また、上記第２の検査は、複数の視標１０１のうち、どの視標１０１が最も飛び出して見えるか又は引っ込んで見えるかによるものとしたが、これに限られるわけではなく、例えば、複数の視標１０１の、飛び出し量又は引っ込み量の大きい順（又は小さい順）が正しく認識できているか否かにより、視機能を検査することも可能である。この検査の度数としては、例えば、上記第４の数から第７の数等と同様に考えることが可能である。
【符号の説明】
【０１０２】
１：視標セット、１０１：視標、４０１：媒体、８０１：検査装置、１００１：検査システム
【図１】
0006007545.tif 000002
【図２】
0006007545.tif 000003
【図３】
0006007545.tif 000004
【図４】
0006007545.tif 000005
【図５】
0006007545.tif 000006
【図６】
0006007545.tif 000007
【図７】
0006007545.tif 000008
【図８】
0006007545.tif 000009
【図９】
0006007545.tif 000010
【図１０】
0006007545.tif 000011
【図１１】
0006007545.tif 000012
【図１２】
0006007545.tif 000013
【図１３】
0006007545.tif 000014